(57)【要約】【課題】  面倒な操作なしに、携帯電話禁止領域内に設けられた使用可能な場所での通話可能とする動作の再開を行うことが可能な携帯電話装置を提供する。【解決手段】  制御部１３はテンキー１６のモードキーが押下されて携帯電話禁止解除モードが設定され、基地局から送られてくる自装置の位置情報と地図情報記憶領域１４ａに記憶された地図情報の位置情報とが一致すると、無線処理側Ａへの電源２１からの電源供給を停止する。制御部１３はカメラ１７から取得した撮影情報（動画）内に予め設定された所定マークが現れたことを検出すると、無線処理側Ａへの電源２１からの電源供給を再開する。【選択図】      図１
2006324829.tif 000002
【特許請求の範囲】
【請求項１】
動画を取得可能な撮像素子と、無線にて基地局との通信を行う無線手段とを含む携帯電話装置であって、自装置の使用が好ましくない携帯電話禁止領域の位置情報を含む地図情報を記憶する記憶手段と、前記基地局から得られる自装置の位置情報と前記記憶手段に記憶された地図情報の位置情報とを比較する比較手段と、前記比較手段で一致が検出された時に前記無線手段への電源供給を停止する電源制御手段と、前記撮像素子にて取得した動画内に予め設定された所定マークが現れるか否かを検索する検索手段とを有し、
前記電源制御手段は、前記検索手段にて前記動画内に前記所定マークが現れたことを検出した時に前記無線手段への電源供給を再開することを特徴とする携帯電話装置。
【請求項２】
前記記憶手段は、外部データベースからダウンロードされた地図情報を記憶することを特徴とする請求項１記載の携帯電話装置。
【請求項３】
前記記憶手段は、前記基地局から自装置の位置情報とともに得られかつ前記基地局に属するサービスエリア内の前記携帯電話禁止領域の位置情報を含む地図情報を記憶することを特徴とする請求項１記載の携帯電話装置。
【請求項４】
前記携帯電話禁止領域の位置情報は、当該位置情報を中心とする範囲情報を含む位置情報であることを特徴とする請求項１から請求項３のいずれか記載の携帯電話装置。
【請求項５】
前記比較手段は、前記基地局から得られる自装置の位置情報と前記記憶手段に記憶された前記地図情報の範囲情報とを比較することを特徴とする請求項４記載の携帯電話装置。
【請求項６】
動画を取得可能な撮像素子と、無線にて基地局との通信を行う無線手段とを含む携帯電話装置に用いる使用制限解除方法であって、
前記携帯電話装置が、前記携帯電話装置の使用が好ましくない携帯電話禁止領域の位置情報を含む地図情報を記憶手段に記憶する処理と、前記基地局から得られる前記携帯電話装置の位置情報と前記記憶手段に記憶された地図情報の位置情報とを比較する比較処理と、前記比較処理で一致が検出された時に前記無線手段への電源供給を停止する電源制御処理と、前記撮像素子にて取得した動画内に予め設定された所定マークが現れるか否かを検索する検索処理とを実行し、
前記電源制御処理にて、前記検索処理にて前記動画内に前記所定マークが現れたことを検出した時に前記無線手段への電源供給を再開することを特徴とする使用制限解除方法。
【請求項７】
前記記憶手段が、外部データベースからダウンロードされた地図情報を記憶することを特徴とする請求項６記載の使用制限解除方法。
【請求項８】
前記記憶手段が、前記基地局から携帯電話装置自装置の位置情報とともに得られかつ前記基地局に属するサービスエリア内の前記携帯電話禁止領域の位置情報を含む地図情報を記憶することを特徴とする請求項６記載の使用制限解除方法。
【請求項９】
前記携帯電話禁止領域の位置情報が、当該位置情報を中心とする範囲情報を含む位置情報であることを特徴とする請求項６から請求項８のいずれか記載の使用制限解除方法。
【請求項１０】
前記比較処理は、前記基地局から得られる携帯電話装置自装置の位置情報と前記記憶手段に記憶された前記地図情報の範囲情報とを比較することを特徴とする請求項９記載の使用制限解除方法。
【請求項１１】
動画を取得可能な撮像素子と、無線にて基地局との通信を行う無線手段とを含む携帯電話装置に用いる使用制限解除方法であって、コンピュータに、前記携帯電話装置の使用が好ましくない携帯電話禁止領域の位置情報を含む地図情報を記憶手段に記憶する処理と、前記基地局から得られる前記携帯電話装置の位置情報と前記記憶手段に記憶された地図情報の位置情報とを比較する比較処理と、前記比較処理で一致が検出された時に前記無線手段への電源供給を停止する電源制御処理と、前記撮像素子にて取得した動画内に予め設定された所定マークが現れるか否かを検索する検索処理とを実行させ、前記電源制御処理にて、前記検索処理にて前記動画内に前記所定マークが現れたことを検出した時に前記無線手段への電源供給を再開させるためのプログラム。
【発明の詳細な説明】
【技術分野】
【０００１】
本発明は携帯電話装置及びそれに用いる使用制限解除方法並びにそのプログラムに関し、特に携帯電話装置の使用が好ましくない場所（病院等）での使用制限の解除に関する。
【背景技術】
【０００２】
携帯電話装置の使用が好ましくない場所（病院等）（以下、携帯電話禁止領域とする）の中でも、ごく限られた場所を除き、携帯電話装置の使用が可能となってきている。しかしながら、始めて訪れた場所の場合には、携帯電話装置の使用が可能となっている場所かどうかの判断がつきにくいことが多い。
【０００３】
従来、携帯電話装置においては、図３に示すように、網側との情報をやりとりするためのアンテナ３１と、無線部３２と、制御部３３と、メモリ３４と、音声の入出力部であるマイク３８及びスピーカ３９と、ＬＣＤ（Ｌｉｑｕｉｄ  Ｃｒｙｓｔａｌ  Ｄｉｓｐｌａｙ）表示部３５と、テンキー３６と、撮影のためのカメラ３７と、無線部３２の動作を制御するための選択スイッチ４０とから構成されている。
【０００４】
上記の携帯電話装置３では、本来、電源を切る必要のある特定の場所（病院等）において、ユーザ自身が電源を切る操作や、無線部３２の動作の停止制御を行うことができる選択スイッチ４０の設定を行っている。
【０００５】
選択スイッチ４０を設定することによって、無線部３２の動作を停止し、不要な電波の送出を止め、メールや電話帳内容の作成・編集ができるように、ＬＣＤ表示部３５及びテンキー３６が動作可能なモードへ設定することができる。このように、特定の場所では携帯電話装置３の利用者が自発的に電源を切っている。
【０００６】
最近、携帯電話禁止領域の中でも、ごく限られた場所を除き、携帯電話装置の使用が可能となってきている。この場合、始めて訪れた場所であれば、使用可能な場所かどうかを判断しにくいことが多い。さらに、使用可能な場所であっても、場所毎に電源スイッチを操作して電源のオン、オフを行うという動作は面倒である。
【０００７】
そこで、携帯電話禁止領域での使用制限の解除については、携帯電話装置の使用が好ましくない場所に位置報知器を設け、位置報知器が位置情報の記憶手段、位置情報信号の設定手段、位置情報信号の送信手段、制御手段、位置情報信号を発信するアンテナ等から構成する方法が提案されている（例えば、特許文献１参照）。
【０００８】
この携帯電話装置では、位置報知機からの位置情報信号の受信アンテナと、位置情報信号の受信手段と、受信信号の判断手段と、制御内容の記憶手段と、受信内容に従って携帯電話機の動作制御手段を備えている。携帯電話装置は位置情報信号を受信すると、判断手段が受信信号が好ましくない場所を示す信号と判断し、制御手段が好ましくない場所に対応する制御内容を記憶手段から読出し、携帯電話装置の制御手段及び送受信手段への電源供給を遮断している。
【０００９】
また、携帯電話禁止領域での使用制限の解除の他の方法については、他の無線基地局の圏内エリア内の携帯電話機の使用が好ましくない場所に受信機と自動通知装置とを設け、使用が好ましくない場所内にて携帯端末からの位置登録情報を受信すると、使用が好ましくない場所内の携帯端末を一時停止状態（着呼を抑制する）とし、発呼者に対しては使用が好ましくない場所に関する内容を含んだアナウンスを発するとともに、携帯端末が使用が好ましくない場所から圏内エリアに移動した時、携帯端末に対する一時停止状態を解除する方法が提案されている（例えば、特許文献２参照）。
【００１０】
【特許文献１】特開平２０００−４１２８２号公報
【特許文献２】特開平２０００−２３６５７２号公報
【発明の開示】
【発明が解決しようとする課題】
【００１１】
しかしながら、上述した従来の携帯電話装置では、上記の特許文献１，２に記載の技術の場合、携帯電話禁止領域での制限は可能だが、携帯電話禁止領域の中でもごく限られた場所を除き、携帯電話装置が使用できる場所での通話可能とする動作を、面倒な操作なしに再開することができない。
【００１２】
また、上記の特許文献１，２に記載の技術の場合には、携帯電話装置における発信規制を管理するために、携帯電話禁止領域を特定しなければならず、設備費が増大するという問題もある。
【００１３】
そこで、本発明の目的は上記の問題点を解消し、面倒な操作なしに、携帯電話禁止領域内に設けられた使用可能な場所での通話可能とする動作の再開を行うことができる携帯電話装置及びそれに用いる使用制限解除方法並びにそのプログラムを提供することにある。
【課題を解決するための手段】
【００１４】
本発明による携帯電話装置は、動画を取得可能な撮像素子と、無線にて基地局との通信を行う無線手段とを含む携帯電話装置であって、自装置の使用が好ましくない携帯電話禁止領域の位置情報を含む地図情報を記憶する記憶手段と、前記基地局から得られる自装置の位置情報と前記記憶手段に記憶された地図情報の位置情報とを比較する比較手段と、前記比較手段で一致が検出された時に前記無線手段への電源供給を停止する電源制御手段と、前記撮像素子にて取得した動画内に予め設定された所定マークが現れるか否かを検索する検索手段とを備え、
前記電源制御手段が、前記検索手段にて前記動画内に前記所定マークが現れたことを検出した時に前記無線手段への電源供給を再開している。
【００１５】
本発明による使用制限解除方法は、動画を取得可能な撮像素子と、無線にて基地局との通信を行う無線手段とを含む携帯電話装置に用いる使用制限解除方法であって、
前記携帯電話装置が、前記携帯電話装置の使用が好ましくない携帯電話禁止領域の位置情報を含む地図情報を記憶手段に記憶する処理と、前記基地局から得られる前記携帯電話装置の位置情報と前記記憶手段に記憶された地図情報の位置情報とを比較する比較処理と、前記比較処理で一致が検出された時に前記無線手段への電源供給を停止する電源制御処理と、前記撮像素子にて取得した動画内に予め設定された所定マークが現れるか否かを検索する検索処理とを実行し、
前記電源制御処理にて、前記検索処理にて前記動画内に前記所定マークが現れたことを検出した時に前記無線手段への電源供給を再開している。
【００１６】
本発明による使用制限解除方法のプログラムは、動画を取得可能な撮像素子と、無線にて基地局との通信を行う無線手段とを含む携帯電話装置に用いる使用制限解除方法であって、コンピュータに、前記携帯電話装置の使用が好ましくない携帯電話禁止領域の位置情報を含む地図情報を記憶手段に記憶する処理と、前記基地局から得られる前記携帯電話装置の位置情報と前記記憶手段に記憶された地図情報の位置情報とを比較する比較処理と、前記比較処理で一致が検出された時に前記無線手段への電源供給を停止する電源制御処理と、前記撮像素子にて取得した動画内に予め設定された所定マークが現れるか否かを検索する検索処理とを実行させ、前記電源制御処理にて、前記検索処理にて前記動画内に前記所定マークが現れたことを検出した時に前記無線手段への電源供給を再開させている。
【００１７】
すなわち、本発明の携帯電話装置は、メモリに携帯電話装置の使用が好ましくない場所の位置情報を含む地図情報を記録しておき、網側の基地局からの位置情報とメモリ内に記憶された地図情報の位置情報とを比較し、その結果、地図情報の使用が好ましくない場所と判定された時に無線部への電源を遮断し、カメラで撮影された情報を基に使用が好ましくない場所に設けられた動作可能区域と判別された時に無線部への電源供給を再開している。
【００１８】
また、本発明の携帯電話装置では、メモリに、外部データベースから使用が好ましくない場所の位置情報を含む地図情報をダウンロードして記録するか、あるいは網側の基地局から得られる自装置の位置情報とともに、当該基地局に属するサービスエリア内における使用が好ましくない場所の位置情報を含む地図情報を得てメモリに記録してもよい。
【００１９】
この場合、携帯電話装置の使用が好ましくない場所の位置情報は、その位置情報を中心とする範囲情報を有する情報であってもよい。その際、本発明の携帯電話装置では、基地局から得られるサービスエリア内の携帯電話装置の位置情報と、携帯電話装置のメモリ内に持つ地図情報の位置情報を中心とする範囲情報とを比較している。
【００２０】
さらに、地図情報の特定場所は、携帯電話装置のメモリ内に持つ地図情報の位置情報を中心とする範囲情報の示す地域である。その場合、本発明の携帯電話装置では、自装置の位置情報がメモリ内に持つ地図情報の位置情報を中心とする範囲情報の示す地域にあると判断した時に無線部の電源を遮断するようにしている。
【００２１】
さらにまた、本発明の携帯電話装置では、特定場所内でも動作可能区域の判別手段が、カメラにより撮影された撮影情報（動画）において所定のマーク等によって示される使用可能場所を検出すると、無線部への電源供給を再開するようにしている。
【００２２】
これによって、本発明の携帯電話装置では、電源を切る必要のある携帯電話禁止領域内においても、カメラ１７からの撮影情報（動画）内に所定マークが現れるかどうかを検索することで、自動的に無線処理側への電源供給の停止、再開を制御することによって、いちいち電源を入れたり、切ったりする面倒な操作を行う必要がなくなる。よって、本発明の携帯電話装置では、面倒な操作なしに、携帯電話禁止領域内に設けられた使用可能な場所での通話可能とする動作の再開を行うことが可能となる。
【発明の効果】
【００２３】
本発明は、以下に述べるような構成及び動作とすることで、面倒な操作なしに、携帯電話禁止領域内に設けられた使用可能な場所での通話可能とする動作の再開を行うことができるという効果が得られる。
【発明を実施するための最良の形態】
【００２４】
次に、本発明の実施例について図面を参照して説明する。図１は本発明の一実施例による携帯電話装置の構成を示すブロック図である。図１において、携帯電話装置１は網側との情報をやりとりするためのアンテナ１１と、無線部１２と、音声の入出力部であるマイク１８及びスピーカ１９とからなる無線処理側Ａと、制御部１３と、メモリ１４と、ＬＣＤ（Ｌｉｑｕｉｄ  Ｃｒｙｓｔａｌ  Ｄｉｓｐｌａｙ）表示部１５と、テンキー１６と、外部を撮影できるカメラ１７とからなる端末処理側Ｂと、無線処理側Ａ及び端末処理側Ｂへの電源供給を行うための電源制御部２０及び電源２１とから構成されている。
【００２５】
本実施例では、携帯電話装置１を予めパーソナルコンピュータ（以下、パソコンとする）と接続し、パソコンに内蔵されているデータベースから携帯電話装置１の使用が好ましくない場所の位置情報を含む地図情報を携帯電話装置１のメモリ１４の地図情報記憶領域１４ａにダウンロードしてあるものとする。
【００２６】
図２は本発明の一実施例による携帯電話装置１における携帯電話装置の使用が好ましくない場所（病院等）（以下、携帯電話禁止領域とする）での使用制限の解除動作を示すフローチャートである。これら図１及び図２を参照して本発明の一実施例による携帯電話装置１における携帯電話禁止領域での使用制限の解除動作について説明する。
【００２７】
尚、図２に示す処理は制御部１３がメモリ１４内のプログラムを実行することで実現される。また、以下の説明では、携帯電話禁止領域での使用制限の解除動作のモード（以下、携帯電話禁止解除モードとする）に設定するためのモードキーをテンキー１６のいずれかのキーに割り当てているものとする。
【００２８】
携帯電話装置１の制御部１３はテンキー１６のモードキーが押下されて携帯電話禁止解除モードが設定されると（図２ステップＳ１）、網側の基地局（図示せず）から送られてくる自装置の位置情報と地図情報記憶領域１４ａに記憶された地図情報の位置情報（携帯電話禁止領域の位置情報）とを比較する（図２ステップＳ２）。
【００２９】
制御部１３は自装置の位置情報と地図情報の位置情報とが一致すると、無線処理側Ａへの電源２１からの電源供給を停止するように、電源ＯＦＦを電源制御部２０に指示するとともに（図２ステップＳ３）、カメラ１７をＯＮにしてカメラ１７から撮影情報（動画）を取得する（図２ステップＳ４）。
【００３０】
制御部１３はカメラ１７から取得した撮影情報（動画）内に予め設定された所定マークが現れたかどうかを検索する（図２ステップＳ５）。ここで、所定マークは携帯電話禁止領域に設けられた動作可能区域を示すマークであり、図形マーク、イラスト、あるいはＱＲ（Ｑｕｉｃｋ  Ｒｅｓｐｏｎｓｅ）コードやバーコードでもよい。
【００３１】
制御部１３はカメラ１７から取得した撮影情報（動画）内に所定マークが現れたことを検出すると（図２ステップＳ６）、無線処理側Ａへの電源２１からの電源供給を再開するように、電源ＯＮを電源制御部２０に指示する（図２ステップＳ７）。これによって、携帯電話装置１は無線による電話通信が可能な状態となる。
【００３２】
その後、制御部１３はテンキー１６のモードキーが再度押下されて携帯電話禁止解除モードが解除されると（図２ステップＳ８）、処理を終了し、携帯電話禁止解除モードが解除されなければ（図２ステップＳ８）、ステップＳ２に戻って上記の処理を繰返し行う。
【００３３】
このように、本実施例では、電源を切る必要のある携帯電話禁止領域内においても、カメラ１７からの撮影情報（動画）内に所定マークが現れるかどうかを検索することで、自動的に無線処理側への電源供給の停止、再開を制御することによって、いちいち電源を入れたり、切ったりする面倒な操作を行う必要がなくなる。
【００３４】
尚、本実施例では、外部データベース（図示せず）から携帯電話禁止領域の位置情報を含む地図情報をダウンロードしてメモリ１４の地図情報記憶領域１４ａに記憶させているが、網側の基地局から得られる自装置の位置情報とともに、その基地局に属するサービスエリア内の携帯電話禁止領域の位置情報を含む地図情報を取得して地図情報記憶領域１４ａに記憶させてもよい。
【００３５】
また、上記の携帯電話禁止領域の位置情報は、その位置情報を中心とする範囲情報を有する位置情報であってもよい。この場合、制御部１３は基地局から得られるサービスエリア内の自装置の位置情報と上記の地図情報の位置情報を中心とする範囲情報とを比較し、それらが一致した時に無線処理側Ａへの電源供給を停止させてもよい。
【００３６】
制御部１３はカメラ１７からの撮影情報（動画）内に所定マークが検出されて使用可能場所にいると判断すると、無線部１２への電源供給を再開することによって、電源を入れたり、切ったりという面倒な操作を行うことなく、携帯電話禁止領域内に設けられた使用可能な場所での通話を可能とする動作の再開を行うことができる。
【００３７】
さらに、本実施例では、携帯電話禁止解除モードに設定するためにテンキー１６のいずれかのキーにモードキーに割り当てているが、携帯電話禁止解除モードに設定するための専用キーを設けてもよい。
【図面の簡単な説明】
【００３８】
【図１】本発明の一実施例による携帯電話装置の構成を示すブロック図である。
【図２】本発明の一実施例による携帯電話装置における携帯電話禁止領域での使用制限の解除動作を示すフローチャートである。
【図３】従来例による携帯電話装置の構成を示すブロック図である。
【符号の説明】
【００３９】
１  携帯電話装置
１１  アンテナ
１２  無線部
１３  制御部
１４  メモリ
１５  ＬＣＤ表示部
１６  テンキー
１７  カメラ
１８  マイク
１９  スピーカ
２０  電源制御部
２１  電源
Ａ  無線処理側
Ｂ  端末処理側
【図１】
2006324829.tif 000003
【図２】
2006324829.tif 000004
【図３】
2006324829.tif 000005